(57)【要約】      （修正有）【課題】写真フイルムベースの素材判別装置に関するもので、特に、テトラアセチルセルロース（ＴＡＣ）フイルムを判別する装置に関し、写真フイルムベースの素材判別を簡単に、且つ、正確に行う。【解決手段】開閉可能に連結され、互いに対向する窓部７、８を有する上下一対のホルダ１、３と、前記窓部７、８に設けられた、互いに偏向方向の異なる偏向フイルタ１０、１１と、前記下ホルダ３の偏向フイルタ１１の背面側に設けられた光源ユニット１９と、前記両ホルダ１、３の把持部４，５の押圧により前記両偏向フイルタ１０、１１を接離せしめる開閉手段２７と、を備えている。【選択図】図２
2010066214.tif 000002
【特許請求の範囲】
【請求項１】
開閉可能に連結され、互いに対向する窓部を有する上下一対のホルダと、
前記窓部に設けられた、互いに偏向方向の異なる偏向フイルタと、
前記両ホルダのいずれか一方の偏向フイルタの背面側に設けられた照明手段と、
前記ホルダの把持部の押圧により前記両偏向フイルタを接離せしめる開閉手段と、
を備えていることを特徴とする写真フイルムの素材判別装置。
【請求項２】
前記互いに偏向方向の異なる偏向フイルタは、垂直方向の偏向フイルタと垂直方向の偏向フイルタであることを特徴とする請求項１記載の写真フイルムの素材判別装置。
【請求項３】
前記上下一対のホルダの基端側の連結部は、軸着されていることを特徴とする請求項１記載の写真フイルムの素材判別装置。
【請求項４】
前記照明手段は、前記下ホルダの光源収納室に設けられた光源ユニットと、給電室に設けられた電池電源及びスイッチと、を備えていることを特徴とする請求項１記載の写真フイルムの素材判別装置。
【請求項５】
前記スイッチは、前記上ホルダの変位に基づいてオン・オフする近接スイッチ、又は、接触スイッチであることを特徴とする請求項４記載の写真フイルムの素材判別装置。
【発明の詳細な説明】
【技術分野】
【０００１】
この発明は、写真フイルムベースの素材判別装置に関するもので、特に、テトラアセチルセルロース（ＴＡＣ）フイルムを判別する装置に関するものである。
【背景技術】
【０００２】
文書等は、写真フイルムに写されて保管されているが、この写真フイルムベースの素材としてＴＡＣフイルムが用いられている。このＴＡＣフイルムは、木材パルプ（セルロース）に酢酸を反応させたアセチルセルロースにより作られる繊維質であり、半合成繊維と呼ばれている。
【０００３】
前記ＴＡＣフイルムは、熱には強いが、脆弱であるため、条件によっては３０年位しか保存できないことが解った。そのため、写真フイルムベースの素材を長期保管に耐えるポリエチレンテレフタレート（ＰＥＴ）に移し替える作業が始まっている。前記ＰＥＴは、石油を原材料したカルボン酸とポリアルコールの重合による合成繊維である。
【０００４】
前記移し替え作業に先だって、文書等が写されている写真フイルムの素材が、ＴＡＣであるか否かを判断しなければならないが、ＴＡＣとＰＥＴの外観は、ほぼ同一であり、目視では判別することができない。
【０００５】
従来、前記ＴＡＣと前記ＰＥＴとは、光の透過度が大きく相違していることに着眼して、次の様な方法で両者の判別を行っている。
垂直方向の偏向フイルタの上に判別対象の写真フイルムを載置し、その上に水平方向の偏向フイルタを重ねて、前記写真フイルムを両偏光フイルタで挟むとともに、前記両偏向フイルムの両端部を両手で持ち、室内照明（光源）にかざして光の透過状態を観察する。
【発明の開示】
【発明が解決しようとする課題】
【０００６】
従来例には、次のような問題がある。
判別対象となる写真フイルムの保管場所は、書庫の一部や専用のフイルム保管庫等が利用されているが、峡間な場所が多く、充分な光源の確保や作業机の確保が難しい。
そこで、前記写真フイルムを判別作業に適した場所に持ち出して判別作業を行うが、面倒であると共に前記判別作業に要する時間が長くなり、作業能率が低下する。
【０００７】
又、前記写真フイルムを持ち出しできない場合があるが、この様な場合には、前記峡間な場所で判別作業をせざるをえない。
しかし、この様な場所で判別作業を行うと、該写真フイルムを傷めるなど取り扱い上の問題や光源を室内照明に頼ることで誤判定につながるような問題が発生する。
【０００８】
この発明は、前記事情に鑑み、写真フイルムの素材判別を、簡単に、且つ、正確に行うことができる装置を提供することを目的とする。
【０００９】
この発明は、開閉可能に連結され、互いに対向する窓部を有する上下一対のホルダと、前記窓部に設けられた、互いに偏向方向の異なる偏向フイルタと、前記両ホルダのいずれか一方の偏向フイルタの背面側に設けられた照明手段と、前記ホルダの把持部の押圧により前記両偏向フイルタを接離せしめる開閉手段と、を備えていることを特徴とする。
【００１０】
この発明の前記互いに偏向方向の異なる偏向フイルタは、垂直方向の偏向フイルタと垂直方向の偏向フイルタであることを特徴とする。この発明の前記上下一対のホルダの基端側の連結部は、軸着されていることを特徴とする。
【００１１】
この発明の前記照明手段は、前記下ホルダの光源収納室に設けられた光源ユニットと、給電室に設けられた電池電源及びスイッチと、を備えていることを特徴とする。この発明の前記スイッチは、前記上ホルダの変位に基づいてオン・オフする近接スイッチ、又は、接触スイッチであることを特徴とする。
【発明の効果】
【００１２】
この発明は、以上の様に構成したので、窓部に設けられている両偏向フイルタ間に判別対象の写真フイルムを挟み、前記ホルダの把持部を押圧すると、該写真フイルムが前記偏光フイルムに密着すると共に、照明手段が作動して発光しバックライトとなる。そのため、写真フイルムベースの素材を簡単、且つ、正確に判別することができる。
【００１３】
又、本発明の写真フイルムベースの判別装置は、小型であり、携帯に便利であるとともに、照明の充分でない場所や峡間な場所において使用するのに好適である。
【発明を実施するための最良の形態】
【００１４】
この発明の第１実施形態を図１、図２により説明する。
写真フイルムベースの素材判別装置Ｄは、平面視、Ｔ字状の上ホルダ１と下ホルダ３とを備えている。前記両ホルダ１、３の把持部４、５の基端側の連結部は、軸止、即ち、止めねじ６により回動可能に連結されており、その自由端側には、窓部７、８が、互いに対向して設けられている。
【００１５】
前記窓部７、８には、偏向フイルタ１０、１１が設けられているが、これらの偏向フイルタ１０、１１は、互いに偏向方向が異なる。例えば、前記窓部７には、水平方向の偏向フイルタ１０が設けられ、前記窓部８には、垂直方向の偏向フイルタ１１が設けられているが、両者を逆にしても良い。
【００１６】
前記下ホルダ３は、縦断面Ｕ字状に形成され、前記窓部８の背面真下には光源収納室１５が設けられ、該光源収納室１５の隣には、給電室１７が設けられている。
前記光源収納室１５には、光源ユニット１９が設けられているが、この光源ユニット１９として、例えば、ＬＥＤが用いられる。前記光源ユニット１９と偏向フイルタ１１との間には、光を均一に分散させる散光板２１が配設されているが、この散光板２１は、省略しても良い。
【００１７】
前記給電室１７には、前記光源ユニット１９に給電する電池電源２３と、該電源電池２３の給電を制御するスイッチ２５と、上ホルダ１を開方向に付勢するコイルばね２７が設けられている。前記スイッチ２５は、上ホルダ１に設けた作動子が接触すると、オンとなる接触型スイッチであるが、このスイッチは、手動によってオン・オッフさせてもよい。なお、前記コイルばね２７の代わりに、皿ばね等の付勢手段を用いてもよい。
【００１８】
次に、本実施形態の作動について説明する。
両ホルダ１，３の把持部４，５を一方の手で軽く握り、両窓部７、８が離れている状態（開状態）で本判別装置Ｄを保持する。
【００１９】
他方の手で判別対象の写真フイルムＦを掴み、前記偏向フィルタ１０、１１の間に位置させた後、把持部４、５を強く握る。
そうすると、上ホルダ１は、コイルばね２７のばね力に抗して矢印Ａ方向（下ホルダ３側）に変位するので、前記写真フイルムＦは、図２の一点鎖線で示すように、前記偏光フイルタ１０、１１により挟まれて固定される。
この時、上ホルダ１の変位に伴いスイッチ２５がオンになり、電池電源２３から光源ユニット１９に給電が開始される。
【００２０】
前記光ユニット１９の光（バックライト）は、均一に拡散されながら散光板２１を通過した後、偏向されながら偏向フイルタ１１を通って写真フイルムＦに照射される。
【００２１】
この時、前記写真フイルムのベース素材がＴＡＣである場合には、透過性が弱い（透過率が極めて悪い）ので、前記照射された光は、殆ど該写真フイルムを透過することは出来ない。そのため、偏向フイルタ１０が設けられている窓部７を覗いても、微量の光しか目視することが出来ないので、ＴＡＣであることが分かる。。
【００２２】
一方、前記写真フイルムのベース素材がＰＥＴである場合には、透過性が強い（透過率が極めて良い）ので、前記照射された光は、該写真フイルムを透過して、偏向フイルタ１０に入り、偏向されて器外に放出される。そのため、偏向フイルタ１０が設けられている窓部７を覗くと、多量の光を目視することができるので、ＰＥＴであることが分かる。
【００２３】
判別作業が完了後、把持部４、５を握っている手を離すと、上ホルダ１は、コイルばね２７のばね力により上方に押圧され、元の位置に戻る。
この装置Ｄは、小型のため、ポケットなどに入れることが出来るので、携帯に便利であるとともに、狭い場所において使用しても、支障をきたすことはない。
又、光源ユニット１９及び電池電源２３を備えているので、室内照明が充分でない室内においても、正確に判別することが出来る。
【００２４】
この発明の第２実施形態を図３、図４により説明するが、図１、図２と同一図面符号は、その名称も機能も同一である。
この実施形態と本実施形態との相違点は、次の通りである。
（１）ホルダ１、３を平面視、Ｔ字状に形成し、その基端側の連結部を軸止する（片持ち連結保持）代わりに、前記両ホルダ１Ａ、３Ａを平面視、長方形状に形成し、長手方向に間隔をおいて配設した２本の止めピン３０により、上ホルダ３Ａを上下動可能に連結したこと（両持ち連結保持）。この止めピン３０は、上ホルダ１Ａを貫通して設けられ、その外周には、該上ホルダ１Ａを下ホルダ３Ａから離れる方向（開方向）に付勢するコイルばね３２が巻かれている。なお、上及び下ホルダ１Ａ、３Ａの平面視形状は、必要に応じて適宜選択され、例えば、正方形状に形成しても良い。
【００２５】
（２）上ホルダ１Ａの後端に、下ホルダ３Ａの後壁３aに沿って摺動する作動片３４を設けるとともに、該後壁３ａ下端部にスイッチ３６を設けたこと。前記作動片３４により上ホルダ１の摺動は規制されるとともに、該作動片３４の近接によりスイッチ３６がオンになり、光源ユニット１９への給電が開始される。
【図面の簡単な説明】
【００２６】
【図１】本発明の第１実施形態を示す平面図である。
【図２】本発明の第１実施形態を示す正面図である。
【図３】本発明の第２実施形態を示す平面図である。
【図４】本発明の第２実施形態を示す正面図である。
【符号の説明】
【００２７】
１      ホルダ
３      ホルダ
４      把持部
５      把持部
７      窓部
８      窓部
１０    偏向フイルタ
１１    偏向フイルタ
１９    光源ユニット
２３    電池電源
２５    スイッチ
Ｄ      写真フイルムベースの素材判別装置
Ｆ      写真フイルム
【図１】
2010066214.tif 000003
【図２】
2010066214.tif 000004
【図３】
2010066214.tif 000005
【図４】
2010066214.tif 000006